(57)【要約】      （修正有）【課題】博物館、展示会場等で、展示物の説明をより分かり易くユーザに知らせるシステムを提供する。【解決手段】展示物の説明を行う画像提供システムにおいて、予め定められた領域に、画像投射装置が存在することを検出する装置検出部１０２と、予め定められた領域に画像投射装置が存在することを装置検出部が検出した場合、予め定められた領域に対応付けて格納されている画像を画像投射装置から投射させる制御部１１０とを備える。【選択図】図４
2016066863.tif 000002
【特許請求の範囲】
【請求項１】
予め定められた領域に、画像投射装置が存在することを検出する装置検出部と、
前記予め定められた領域に前記画像投射装置が存在することを前記装置検出部が検出した場合、前記予め定められた領域に対応付けて格納されている画像を前記画像投射装置から投射させる制御部と
を備える画像提供システム。
【請求項２】
前記制御部は、複数の前記予め定められた領域のうちの第１領域に第１の画像投射装置が存在することを前記装置検出部が検出した場合、前記複数の予め定められた領域に対応付けて格納されている動画像を当該動画像の開始位置から再生させた再生動画を前記第１の画像投射装置から投射させ、前記複数の予め定められた領域のうちの第２領域に第２の画像投射装置が存在することを前記装置検出部が検出した場合、前記動画像を前記開始位置から再生させた再生動画を前記第２の画像投射装置から投射させる、請求項１に記載の画像提供システム。
【請求項３】
複数の前記予め定められた領域のそれぞれに対応付けて、それぞれが異なる複数の画像を格納する第１画像格納部
をさらに備え、
前記制御部は、前記複数の予め定められた領域のうちの第１領域に前記画像投射装置が存在することを前記装置検出部が検出した場合、前記第１領域に対応付けて格納されている画像を前記画像投射装置から投射させる、請求項１に記載の画像提供システム。
【請求項４】
前記画像投射装置の姿勢を検出する姿勢検出部と
前記予め定められた領域における前記画像投射装置の複数の姿勢のそれぞれに対応付けて、それぞれが異なる複数の画像を格納する第２画像格納部と
をさらに備え、
前記制御部は、前記姿勢検出部が検出した前記画像投射装置の姿勢に対応付けて格納されている画像を前記画像投射装置から投射させる、請求項１から３のいずれか一項に記載の画像提供システム。
【請求項５】
前記画像投射装置を識別する装置識別情報を取得する識別情報取得部
をさらに備え、
前記制御部は、前記予め定められた領域に前記画像投射装置が存在することを前記装置検出部が検出した場合、前記予め定められた領域に対応付けて格納された複数の画像のうち、前記装置識別情報に対応する画像を前記画像投射装置から投射させる、請求項１から４のいずれか一項に記載の画像提供システム。
【請求項６】
複数の前記予め定められた領域のそれぞれに対応させて配置された再帰性反射スクリーン
をさらに備える、請求項１から５のいずれか一項に記載の画像提供システム。
【請求項７】
予め定められた方向に画像を提供するスクリーンから前記予め定められた方向に位置する予め定められた領域に、検出対象物が存在することを検出する対象物検出部と、
前記予め定められた領域に前記検出対象物が存在することを前記対象物検出部が検出した場合、前記スクリーンによる画像の提供を開始させる制御部と
を備える画像提供システム。
【請求項８】
反射スクリーンである前記スクリーンと、
前記スクリーンに画像を投射する画像投射装置と
をさらに備え、
前記スクリーンは、前記画像投射装置から投射された画像を前記予め定められた方向に反射する、請求項７に記載の画像提供システム。
【請求項９】
前記スクリーンは、再帰性反射スクリーンである、請求項７又は８に記載の画像提供システム。
【請求項１０】
前記検出対象物を識別する対象物識別情報を取得する識別情報取得部
をさらに備え、
前記制御部は、前記予め定められた領域に前記検出対象物が存在することを前記対象物検出部が検出した場合、前記スクリーンによる、前記対象物識別情報に対応付けられた画像の提供を開始させる、請求項７から９のいずれか一項に記載の画像提供システム。
【請求項１１】
コンピュータを、請求項１から１０のいずれか一項に記載の画像提供システムとして機能させるためのプログラム。
【発明の詳細な説明】
【技術分野】
【０００１】
本発明は、画像提供システム及びプログラムに関する。
【背景技術】
【０００２】
博物館、展示会場等で展示物の説明を提供するシステムが知られていた（例えば、特許文献１参照）。
［先行技術文献］
［特許文献］
［特許文献１］特開平０５−２６００００号公報
【発明の概要】
【発明が解決しようとする課題】
【０００３】
展示物の説明をより分かり易くユーザに提供可能なシステムが望まれていた。
【課題を解決するための手段】
【０００４】
本発明の第１の態様によれば、予め定められた領域に、画像投射装置が存在することを検出する装置検出部と、予め定められた領域に画像投射装置が存在することを装置検出部が検出した場合、予め定められた領域に対応付けて格納されている画像を画像投射装置から投射させる制御部とを備える画像提供システムが提供される。
【０００５】
上記画像提供システムにおいて、制御部は、複数の予め定められた領域のうちの第１領域に第１の画像投射装置が存在することを装置検出部が検出した場合、複数の予め定められた領域に対応付けて格納されている動画像を当該動画像の開始位置から再生させた再生動画を第１の画像投射装置から投射させてよく、複数の予め定められた領域のうちの第２領域に第２の画像投射装置が存在することを装置検出部が検出した場合、動画像を開始位置から再生させた再生動画を第２の画像投射装置から投射させてよい。上記画像提供システムは、複数の予め定められた領域のそれぞれに対応付けて、それぞれが異なる複数の画像を格納する第１画像格納部をさらに備えてよく、制御部は、複数の予め定められた領域のうちの第１領域に画像投射装置が存在することを装置検出部が検出した場合、第１領域に対応付けて格納されている画像を画像投射装置から投射させてよい。
【０００６】
上記画像提供システムは、画像投射装置の姿勢を検出する姿勢検出部と、予め定められた領域における画像投射装置の複数の姿勢のそれぞれに対応付けて、それぞれが異なる複数の画像を格納する第２画像格納部とをさらに備えてよく、制御部は、姿勢検出部が検出した画像投射装置の姿勢に対応付けて格納されている画像を画像投射装置から投射させてよい。上記画像提供システムは、画像投射装置を識別する装置識別情報を取得する識別情報取得部をさらに備えてよく、制御部は、予め定められた領域に画像投射装置が存在することを装置検出部が検出した場合、予め定められた領域に対応付けて格納された複数の画像のうち、装置識別情報に対応する画像を画像投射装置から投射させてよい。上記画像提供システムは、複数の予め定められた領域のそれぞれに対応させて配置された再帰性反射スクリーンをさらに備えてよい。
【０００７】
本発明の第２の態様によれば、予め定められた方向に画像を提供するスクリーンから予め定められた方向に位置する予め定められた領域に、検出対象物が存在することを検出する対象物検出部と、予め定められた領域に検出対象物が存在することを対象物検出部が検出した場合、スクリーンによる画像の提供を開始させる制御部とを備える画像提供システムが提供される。
【０００８】
上記画像提供システムは、反射スクリーンであるスクリーンと、スクリーンに画像を投射する画像投射装置とをさらに備えてよく、スクリーンは、画像投射装置から投射された画像を予め定められた方向に反射してよい。上記画像提供システムにおいて、スクリーンは、再帰性反射スクリーンであってよい。上記画像提供システムは、検出対象物を識別する対象物識別情報を取得する識別情報取得部をさらに備えてよく、制御部は、予め定められた領域に検出対象物が存在することを対象物検出部が検出した場合、スクリーンによる、対象物識別情報に対応付けられた画像の提供を開始させてよい。
【０００９】
本発明の第３の態様によれば、コンピュータを、上記画像提供システムとして機能させるためのプログラムが提供される。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】画像提供装置の一例を概略的に示す。
【図２】画像提供装置がウェアラブルプロジェクタの姿勢に応じた画像を提供する例を概略的に示す。
【図３】画像提供装置が複数の領域のそれぞれに対応付けられた複数の異なる画像を提供する例を概略的に示す。
【図４】画像提供装置の機能構成の一例を概略的に示す。
【図５】画像提供装置による処理の流れの一例を概略的に示す。
【図６】画像提供装置の一例を概略的に示す。
【図７】再帰性反射スクリーンの配置例を概略的に示す。
【図８】画像提供装置の機能構成の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、画像提供装置１００の一例を概略的に示す。画像提供装置１００は、画像提供システムの一例であってよい。画像提供装置１００は、例えば、展示物２０、再帰性反射スクリーン３０及び再帰性反射スクリーン３２が配置された博物館及び展示会場等の場所において、展示物２０を説明するための画像を提供する。
【００１４】
展示物２０を説明するための画像とは、例えば、展示物２０が恐竜の化石である場合、恐竜の名称、重量及び生息していた時代等を説明する画像である。展示物２０を説明するための画像は、静止画像であってよく、また、動画像であってもよい。
【００１５】
画像提供装置１００は、展示物２０及び再帰性反射スクリーン３０に対応する位置の予め定められた領域４０にウェアラブルプロジェクタ２００が存在することを検出した場合に、領域４０に対応付けて格納されている、展示物２０を説明するための画像を当該ウェアラブルプロジェクタ２００に投射させてよい。ウェアラブルプロジェクタ２００は、画像投射装置の一例であってよい。
【００１６】
ウェアラブルプロジェクタ２００は、例えば、画像提供装置１００による画像の提供を受ける被提供者８０によって装着される。ウェアラブルプロジェクタ２００は、例えば、頭部装着型のプロジェクタであり、被提供者８０の視線方向に対して画像を投射する。
【００１７】
予め定められた領域４０の位置は、被提供者８０が領域４０から展示物２０を見たときに、再帰性反射スクリーン３０が被提供者８０の視界に含まれる位置であってよい。画像提供装置１００が、領域４０にウェアラブルプロジェクタ２００が存在することを検出した場合にウェアラブルプロジェクタ２００に展示物２０を説明するための画像を投射させることにより、被提供者８０に、再帰性反射スクリーン３０によって反射された画像と、展示物２０とを併せて閲覧させることができる。
【００１８】
また、画像提供装置１００は、展示物２０及び再帰性反射スクリーン３２に対応する位置の予め定められた領域４２にウェアラブルプロジェクタ２００が存在することを検出した場合に、領域４２に対応付けて格納されている、展示物２０を説明するための画像を当該ウェアラブルプロジェクタ２００に投射させてよい。
【００１９】
予め定められた領域４２の位置は、被提供者８０が領域４２から展示物２０を見たときに、再帰性反射スクリーン３２が被提供者８０の視界に含まれる位置であってよい。画像提供装置１００が、領域４２にウェアラブルプロジェクタ２００が存在することを検出した場合にウェアラブルプロジェクタ２００に展示物２０を説明するための画像を投射させることにより、被提供者８０に、再帰性反射スクリーン３２によって反射された画像と、展示物２０とを併せて閲覧させることができる。
【００２０】
ここで、例えば、領域４０において、ウェアラブルプロジェクタ２００によって投射され、再帰性反射スクリーン３０によって反射された展示物２０を説明する動画像を被提供者８０が閲覧しているときに、他のウェアラブルプロジェクタ２００を装着している被提供者８２が被提供者８０に近づくと、被提供者８２は、当該動画像を閲覧することができる。しかし、展示物２０の説明を途中から見ることになってしまう。
【００２１】
このような場合、本実施形態によれば、被提供者８２は、展示物２０に対応する他の領域４２に入ることによって、展示物２０を説明する動画像を最初から閲覧することができる。またさらに、領域４０と領域４２とを離間させておくことによって、再帰性反射スクリーン３０による反射光が、領域４２内の被提供者８２に到達してしまうことを防止できる。
【００２２】
なお、図１では、再帰性反射スクリーン３０及び再帰性反射スクリーン３２が離間して配置された場合を例に挙げているが、これに限らない。領域４０及び領域４２に対応する一の再帰性反射スクリーンが配置されてもよい。
【００２３】
また、再帰性反射スクリーン３０及び再帰性反射スクリーン３２に代えて、鏡面反射スクリーン等の他の反射スクリーンが配置されてもよい。鏡面反射スクリーンを採用する場合、領域４０に存在するウェアラブルプロジェクタ２００が投射した画像が、被提供者８０に向けて反射されるように、鏡面反射スクリーンの角度等が調整される。
【００２４】
図２は、画像提供装置１００が、ウェアラブルプロジェクタ２００の姿勢に応じた画像を提供する例を示す。画像提供装置１００は、例えば、ウェアラブルプロジェクタ２００と無線通信して、ウェアラブルプロジェクタ２００が備えるジャイロセンサ等の姿勢検出センサからウェアラブルプロジェクタ２００の姿勢を示すデータを受信することによって、ウェアラブルプロジェクタ２００の姿勢を検出してよい。
【００２５】
画像提供装置１００は、領域４０にウェアラブルプロジェクタ２００が存在することを検出し、かつ、ウェアラブルプロジェクタ２００の姿勢が、被提供者８０が地面に対して平行な方向を見ていることを示す場合、展示物２０を説明するための画像をウェアラブルプロジェクタ２００に投射させてよい。画像提供装置１００は、ウェアラブルプロジェクタ２００の姿勢が、地面に対して平行な方向から上下方向に対して予め定められた角度内である場合に、被提供者８０が地面に対して平行な方向をみていることを示すと判断してよい。
【００２６】
また、画像提供装置１００は、領域４０にウェアラブルプロジェクタ２００が存在することを検出し、かつ、ウェアラブルプロジェクタ２００の姿勢が、被提供者８０が下を向いていることを示す場合、展示物２０に対応する下方向の状況を説明するための画像をウェアラブルプロジェクタ２００に投射させてよい。画像提供装置１００は、ウェアラブルプロジェクタ２００の姿勢が、地面に対して平行な方向から下方向に対して予め定められた角度を超える方向を示す場合に、被提供者８０が下を向いていることを示すと判断してよい。
【００２７】
例えば、展示物２０が恐竜の化石である場合、展示物２０に対応する下方向の状況を説明するための画像は、当該恐竜が生息していた時代における地面を示す画像である。これにより、被提供者８０は、地面に平行な方向を見ることによって恐竜の化石を説明するための画像を閲覧でき、下方向をみることによって、恐竜が生息していた時代における地面を閲覧することができる。
【００２８】
また、画像提供装置１００は、領域４０にウェアラブルプロジェクタ２００が存在することを検出し、かつ、ウェアラブルプロジェクタ２００の姿勢が、被提供者８０が上を向いていることを示す場合、展示物２０に対応する上方向の状況を説明するための画像をウェアラブルプロジェクタ２００に投射させてよい。画像提供装置１００は、ウェアラブルプロジェクタ２００の姿勢が、地面に対して平行な方向から上方向に対して予め定められた角度を超える方向を示す場合に、被提供者８０が上を向いていることを示すと判断してよい。
【００２９】
例えば、展示物２０が恐竜の化石である場合、展示物２０に対応する上方向の状況を説明するための画像は、当該恐竜が生息していた時代における空を示す画像である。これにより、被提供者８０は、上方向をみることによって、恐竜が生息していた時代における空を閲覧することができる。
【００３０】
図３は、画像提供装置１００が、複数の領域のそれぞれに対応付けられた複数の異なる画像を提供する例を概略的に示す。図３は、展示物２０の近傍に再帰性反射スクリーン３０及び再帰性反射スクリーン３２が配置され、かつ、展示物２２の近傍に再帰性反射スクリーン３４及び再帰性反射スクリーン３６が配置された場合を例に挙げて説明する。なお、ここでは、図１に示す画像提供装置１００と異なる点を主に説明する。
【００３１】
画像提供装置１００は、展示物２２及び再帰性反射スクリーン３４に対応する位置の予め定められた領域４４にウェアラブルプロジェクタ２００が存在することを検出した場合に、領域４４に対応付けられている、展示物２２を説明するための画像を当該ウェアラブルプロジェクタ２００に投射させてよい。また、画像提供装置１００は、展示物２２及び再帰性反射スクリーン３６に対応する位置の予め定められた領域４６にウェアラブルプロジェクタ２００が存在することを検出した場合に、領域４６に対応付けられている、展示物２２を説明するための画像を当該ウェアラブルプロジェクタ２００に投射させてよい。
【００３２】
このように、画像提供装置１００は、複数の展示物のそれぞれに対応する位置の領域にウェアラブルプロジェクタ２００が存在することを検出した場合に、それぞれの領域に対応付けられている展示物を説明するための画像を当該ウェアラブルプロジェクタ２００に投射させてよい。
【００３３】
図４は、画像提供装置１００の機能構成の一例を概略的に示す。画像提供装置１００は、装置検出部１０２、領域取得部１０４、識別情報取得部１０６、姿勢検出部１０８、制御部１１０、画像格納部１２０、投射指示送信部１３０及び画像送信部１３２を備える。なお、画像提供装置１００がこれらのすべての構成を備えることは必須とは限らない。
【００３４】
装置検出部１０２は、予め定められた領域に、画像投射装置が存在することを検出する。装置検出部１０２は、任意の手法を用いて画像投射装置の存在を検出してよい。例えば、装置検出部１０２は、予め定められた領域に配置された不図示の重量センサと通信することによって、画像投射装置の存在を検出する。装置検出部１０２は、被提供者の体重に相当する重量を検出した旨を示すデータを重量センサから受信した場合に、画像投射装置が存在すると判定してよい。
【００３５】
また、例えば、装置検出部１０２は、予め定められた領域を撮像する不図示の撮像装置と通信することによって、画像投射装置の存在を検出する。装置検出部１０２は、撮像装置から受信した撮像画像から被提供者が検出された場合に、画像投射装置が存在すると判定してよい。また、装置検出部１０２は、赤外線、超音波、可視光等を用いて人間の存在を検知する人感センサと通信することによって、画像投射装置の存在を検出してもよい。
【００３６】
領域取得部１０４は、複数の予め定められた領域のうち、装置検出部１０２が画像投射装置の存在を検出した領域を取得する。複数の予め定められた領域のそれぞれには、領域を識別する領域識別情報が対応付けられていてよく、領域取得部１０４は、領域識別情報によって、複数の予め定められた領域を識別してよい。
【００３７】
識別情報取得部１０６は、装置検出部１０２が予め定められた領域に存在することを検出した画像投射装置を識別する装置識別情報を取得する。複数の画像投射装置のそれぞれには、予め装置識別情報が対応付けられていてよい。識別情報取得部１０６は、例えば、複数の予め定められた領域のそれぞれに配置された不図示のＲＦＩＤ（Ｒａｄｉｏ  Ｆｒｅｑｕｅｎｃｙ  Ｉｄｅｎｔｉｆｉｅｒ）センサが、当該領域内の画像投射装置が有するＲＦタグから読み取った装置識別情報を、当該ＲＦＩＤセンサから受信する。
【００３８】
姿勢検出部１０８は、予め定められた領域に存在する画像投射装置の姿勢を検出する。姿勢検出部１０８は、例えば、画像投射装置と無線通信して、画像投射装置が備えるジャイロセンサ等の姿勢検出センサから、画像投射装置の姿勢を示すデータを受信することによって、画像投射装置の姿勢を検出してよい。
【００３９】
制御部１１０は、予め定められた領域に画像投射装置が存在することを装置検出部１０２が検出した場合に、当該予め定められた領域に対応付けて格納されている画像を画像投射装置から投射させる。予め定められた領域に対応付けて格納されている動画像は音声データを含んでよく、予め定められた領域に対応付けて格納されている静止画像には音声データが対応付けられていてよい。画像投射装置は、制御部１１０の制御に従って画像を投射するとともに、音声データを出力してよい。予め定められた領域に対応付けて格納されている画像は、画像投射装置に格納されていてよい。また、予め定められた領域に対応付けて格納されている画像は、画像格納部１２０に格納されていてよい。
【００４０】
画像格納部１２０は、一の展示物に対応する複数の予め定められた領域に対応付けられた、当該一の展示物を説明するための画像を格納してよい。また、画像格納部１２０は、複数の展示物のそれぞれに対応する複数の予め定められた領域のそれぞれに対応付けて、複数の展示物のそれぞれを説明するための複数の画像を格納してよい。画像格納部１２０は、第１画像格納部の一例であってよい。
【００４１】
また、画像格納部１２０は、予め定められた領域における、画像投射装置の複数の姿勢のそれぞれに対応付けられた複数の画像を格納してもよい。画像格納部１２０は、第２画像格納部の一例であってよい。また、画像格納部１２０は、予め定められた領域における、複数の装置識別情報のそれぞれに対応付けられた複数の画像を格納してもよい。
【００４２】
投射指示送信部１３０は、画像投射装置に対して、画像の投射指示を送信する。投射指示送信部１３０は、画像投射装置から投射させる画像を識別する画像識別情報を画像投射装置に送信してよい。また、投射指示送信部１３０は、画像送信部１３２が画像投射装置に送信した画像を投射する指示を画像投射装置に送信してもよい。画像送信部１３２は、画像格納部１２０に格納された画像を画像投射装置に送信する。
【００４３】
制御部１１０は、複数の予め定められた領域のうちの第１領域に第１の画像投射装置が存在することを装置検出部１０２が検出した場合、複数の予め定められた領域に対応付けて格納されている動画像を当該動画像の開始位置から再生させた再生動画を第１の画像投射装置から投射させ、複数の予め定められた領域のうちの第２領域に第２の画像投射装置が存在することを装置検出部１０２が検出した場合、当該動画像を当該動画像の開始位置から再生させた再生動画を第２の画像投射装置から投射させてよい。例えば、制御部１１０は、展示物２０に対応する複数の予め定められた領域である領域４０及び領域４２のうちの領域４０に第１のウェアラブルプロジェクタ２００が存在することを装置検出部１０２が検出した場合、領域４０及び領域４２に対応付けて画像格納部１２０に格納されている動画像を当該動画像の開始位置から再生させた再生動画を第１のウェアラブルプロジェクタ２００に投射させ、領域４２に第２のウェアラブルプロジェクタ２００が存在することを装置検出部１０２が検出した場合、当該動画像を当該動画像の開始位置から再生させた再生動画を第２のウェアラブルプロジェクタ２００から投射させる。
【００４４】
また、制御部１１０は、複数の予め定められた領域のうちの第１領域に画像投射装置が存在することを装置検出部１０２が検出した場合、第１領域に対応付けて格納されている画像を画像投射装置から投射させてよく、複数の予め定められた領域のうちの第２領域に画像投射装置が存在することを装置検出部１０２が検出した場合、第２領域に対応付けて格納されている画像を画像投射装置から投射させてよい。例えば、制御部１１０は、展示物２０に対応する領域４０にウェアラブルプロジェクタ２００が存在することを装置検出部１０２が検出した場合、領域４０に対応付けて画像格納部１２０に格納されている画像を当該ウェアラブルプロジェクタ２００に投射させ、展示物２２に対応する領域４４にウェアラブルプロジェクタ２００が存在することを装置検出部１０２が検出した場合、領域４４に対応付けて画像格納部１２０に格納されている画像を当該ウェアラブルプロジェクタ２００に投射させる。
【００４５】
また、制御部１１０は、予め定められた領域に画像投射装置が存在することを装置検出部１０２が検出した場合、姿勢検出部１０８が検出した画像投射装置の姿勢に対応付けて格納されている画像を当該画像投射装置から投射させてよい。例えば、制御部１１０は、領域４０にウェアラブルプロジェクタ２００が存在することを装置検出部１０２が検出した場合であって、姿勢検出部１０８が検出したウェアラブルプロジェクタ２００の姿勢が、被提供者８０が下を向いていることを示す場合、領域４０における、ウェアラブルプロジェクタ２００の下を向いた姿勢に対応付けられた画像を、当該ウェアラブルプロジェクタ２００から投射させる。
【００４６】
また、制御部１１０は、予め定められた領域に画像投射装置が存在することを装置検出部１０２が検出した場合、当該予め定められた領域に対応付けて格納された複数の画像のうち、識別情報取得部１０６が取得した装置識別情報に対応する画像を、当該画像投射装置から投射させてよい。例えば、被提供者８０が英語を母国語とする外国人であり、被提供者８０が装着するウェアラブルプロジェクタ２００の装置識別情報に対応付けて、英語によって展示物２０を説明する画像が格納されていた場合、制御部１１０は、当該被提供者８０に対して、英語によって展示物２０を説明する画像を提供させることができる。
【００４７】
図５は、画像提供装置１００による処理の流れを概略的に示す。図５に示す処理は、領域４０にウェアラブルプロジェクタ２００が存在することを装置検出部１０２が検出した状態を開始状態として説明する。図５に示す各処理は、画像提供装置１００が備える制御部が主体となって実行される。
【００４８】
ステップ５０２（ステップをＳと省略して記載する場合がある。）では、領域取得部１０４が、領域４０を識別する領域識別情報を取得する。Ｓ５０４では、識別情報取得部１０６が、領域４０に存在することが検出されたウェアラブルプロジェクタ２００を識別する装置識別情報を取得する。Ｓ５０６では、姿勢検出部１０８が、領域４０に存在することが検出されたウェアラブルプロジェクタ２００の姿勢を検出する。
【００４９】
Ｓ５０８では、制御部１１０が、Ｓ５０２で取得した領域識別情報、Ｓ５０４で取得した装置識別情報及びＳ５０６で取得したウェアラブルプロジェクタ２００の姿勢に対応する画像を選択する。Ｓ５１０では、投射指示送信部１３０が、Ｓ５０８で選択された画像を投射する指示を、ウェアラブルプロジェクタ２００に送信する。Ｓ５０８で選択された画像をウェアラブルプロジェクタ２００が格納していない場合、画像送信部１３２が当該画像をウェアラブルプロジェクタ２００に送信してよい。
【００５０】
Ｓ５１２では、ウェアラブルプロジェクタ２００が領域４０の外に移動したか否かを、装置検出部１０２が判定する。Ｓ５１２で、ウェアラブルプロジェクタ２００が領域４０の外に移動したと判定した場合、Ｓ５１６に進み、移動していないと判定した場合、Ｓ５１４に進む。
【００５１】
Ｓ５１４では、ウェアラブルプロジェクタ２００の姿勢が変化したか否かを姿勢検出部１０８が判定する。姿勢検出部１０８は、例えば、被提供者８０が平行な方向を見ている姿勢から、被提供者８０が下を向いている姿勢又は被提供者８０が上を見ている姿勢に変化した場合に、ウェアラブルプロジェクタ２００の姿勢が変化したと判定する。
【００５２】
Ｓ５１４で、姿勢に変化が無いと判定された場合、Ｓ５１２に戻り、姿勢に変化が有ると判定された場合、Ｓ５０８に戻る。Ｓ５０８では、制御部１１０が、Ｓ５０２で取得した領域識別情報、Ｓ５０４で取得した装置識別情報及びＳ５１４で検出した変化後のウェアラブルプロジェクタ２００の姿勢に対応する画像を選択する。
【００５３】
Ｓ５１６では、投射指示送信部１３０が、画像の投射を停止する投射停止指示をウェアラブルプロジェクタ２００に送信する。そして、処理が終了する。
【００５４】
図６は、画像提供装置４００の一例を概略的に示す。画像提供装置４００は、画像提供システムの一例であってよい。画像提供装置４００は、例えば、展示物２０、再帰性反射スクリーン５０、再帰性反射スクリーン５２、指向性スピーカ７０、指向性スピーカ７２、固定式プロジェクタ３００及び固定式プロジェクタ３２０が配置された博物館及び展示会場等において、展示物２０を説明するための画像を提供する。ここでは、画像提供装置１００と異なる点を主に説明する。
【００５５】
再帰性反射スクリーン５０及び再帰性反射スクリーン５２は、予め定められた方向のみに画像を提供するスクリーンの一例であってよい。再帰性反射スクリーン５０及び再帰性反射スクリーン５２における予め定められた方向とは、入射方向と反対の方向であってよい。再帰性反射スクリーン５０及び再帰性反射スクリーン５２は、展示物２０の近傍に配置される。
【００５６】
固定式プロジェクタ３００及び固定式プロジェクタ３２０は、画像投射装置の一例であってよい。固定式プロジェクタ３００は再帰性反射スクリーン５０に対して画像を投射する。固定式プロジェクタ３２０は再帰性反射スクリーン５２に対して画像を投射する。
【００５７】
指向性スピーカ７０は、固定式プロジェクタ３００が配置された位置に対して音声を出力する。指向性スピーカ７０は、固定式プロジェクタ３００が配置された位置に対して指向性を有する音声を出力できれば、任意の位置に配置されてよい。指向性スピーカ７２は、固定式プロジェクタ３２０が配置された位置に対して音声を出力する。指向性スピーカ７２は、固定式プロジェクタ３２０が配置された位置に対して指向性を有する音声を出力できれば、任意の位置に配置されてよい。
【００５８】
画像提供装置４００は、予め定められた方向に画像を提供する再帰性反射スクリーン５０から予め定められた方向に位置する領域６０に、検出対象物が存在することを検出した場合、再帰性反射スクリーン５０による、展示物２０を説明するための画像の提供を開始させる。検出対象物は、例えば、被提供者８０である。画像提供装置４００は、例えば、固定式プロジェクタ３００に、再帰性反射スクリーン５０に対する画像の投射を開始させることによって、再帰性反射スクリーン５０による画像の提供を開始させる。また、画像提供装置４００は、指向性スピーカ７０による、固定式プロジェクタ３００が配置された位置に対する、展示物２０を説明するための音声の提供を開始させてよい。
【００５９】
また、画像提供装置４００は、予め定められた方向に画像を提供する再帰性反射スクリーン５２から予め定められた方向に位置する領域６２に、検出対象物が存在することを検出した場合、再帰性反射スクリーン５２による画像の提供を開始させる。画像提供装置４００は、例えば、固定式プロジェクタ３２０に、再帰性反射スクリーン５２に対する画像の投射を開始させることによって、再帰性反射スクリーン５２による画像の提供を開始させる。また、画像提供装置４００は、指向性スピーカ７２による、固定式プロジェクタ３２０が配置された位置に対する、展示物２０を説明するための音声の提供を開始させてよい。
【００６０】
予め定められた領域６０の位置は、被提供者８０が領域６０から展示物２０を見たときに、再帰性反射スクリーン５０が被提供者８０の視界に含まれる位置であってよい。また、固定式プロジェクタ３００は、被提供者８０の視線の高さと同じ高さから画像を投射するべく配置されてよい。
【００６１】
画像提供装置１００が、領域６０に被提供者８０が存在することを検出した場合に固定式プロジェクタ３００に展示物２０を説明するための画像を投射させることにより、被提供者８０に、再帰性反射スクリーン５０によって反射された画像と、展示物２０とを併せて閲覧させることができる。
【００６２】
予め定められた領域６２の位置は、被提供者８２が領域６２から展示物２０を見たときに、再帰性反射スクリーン５２が被提供者８２の視界に含まれる位置であってよい。また、固定式プロジェクタ３２０は、被提供者８２の視線の高さと同じ高さから画像を投射するべく配置されてよい。
【００６３】
画像提供装置１００が、領域６２に被提供者８２が存在することを検出した場合に固定式プロジェクタ３２０に展示物２０を説明するための画像を投射させることにより、被提供者８２に、再帰性反射スクリーン５２によって反射された画像と、展示物２０とを併せて閲覧させることができる。
【００６４】
ここで、例えば、固定式プロジェクタ３００は、大人の視線の高さと同じ高さから画像を投射するべく配置されてよく、固定式プロジェクタ３２０は、子供の視線の高さと同じ高さから画像を投射するべく配置されてよい。そして、画像提供装置１００は、固定式プロジェクタ３００に対して、展示物２０を説明するための大人用の画像を投射させてよく、固定式プロジェクタ３２０に対して、展示物２０を説明するための子供用の画像を投射させてよい。これにより、大人及び子供のそれぞれは、自分の身長に合った高さの画像投射装置が配置された領域に移動することによって、自分に合った展示物２０の説明を閲覧することができる。
【００６５】
画像提供装置４００は、画像提供装置１００と同じように、複数の領域のそれぞれに対応付けられた複数の異なる画像を提供してもよい。例えば、展示物２０に対応する固定式プロジェクタ３００及び固定式プロジェクタ３２０には、展示物２０を説明するための画像を投射させ、他の展示物に対応する他の固定式プロジェクタには、当該他の展示物を説明するための画像を投射させてよい。
【００６６】
なお、図６では、再帰性反射スクリーン５０及び再帰性反射スクリーン５２が離間して配置された場合を例に挙げているが、これに限らない。例えば、複数の面を有する一の再帰性反射スクリーンが配置されてもよい。固定式プロジェクタ３００が複数の面のうちの一の面に画像を投射し、固定式プロジェクタ３２０が複数の面のうちの他の面に画像を投射することによって、互いの投射が、互いの画像を閲覧している被提供者の閲覧を阻害してしまうことを防止できる。
【００６７】
また、再帰性反射スクリーン３０及び再帰性反射スクリーン３２に代えて、鏡面反射スクリーン等の他の反射スクリーンが配置されてもよい。鏡面反射スクリーンを採用する場合、領域４０に存在するウェアラブルプロジェクタ２００が投射した画像が、被提供者８０に向けて反射されるように、鏡面反射スクリーンの角度等が調整される。
【００６８】
また、再帰性反射スクリーン５０及び固定式プロジェクタ３００並びに再帰性反射スクリーン５２及び固定式プロジェクタ３２０に代えて、指向性を有するディスプレイを配置してもよい。指向性を有するディスプレイは、例えば、表示面にスリットが設置されたディスプレイである。指向性を有するディスプレイは、予め定められた方向に画像を提供するスクリーンの一例であってよい。画像提供装置４００は、例えば、領域４０に被提供者８０が存在することを検出した場合、指向性を有するディスプレイに、画像の提供を開始させてよい。
【００６９】
図７は、再帰性反射スクリーン５０及び再帰性反射スクリーン５２の配置例を概略的に示す。ここでは、傾斜された天井面９０の上下方向に再帰性反射スクリーン５０及び再帰性反射スクリーン５２が配列された場合を例に挙げて説明する。
【００７０】
天井面９０には、固定式プロジェクタ３００と、固定式プロジェクタ３００が投射する画像を反射するハーフミラー３０２を支持するミラー支持部３０４とが配置される。また、天井面９０には、固定式プロジェクタ３２０と、固定式プロジェクタ３２０が投射する画像を反射するハーフミラー３２２を支持するミラー支持部３２４とが配置される。
【００７１】
ハーフミラー３０２は、固定式プロジェクタ３００が投射する画像を反射した反射光の、再帰性反射スクリーン５０による反射光が、領域６０に向かうべく設置されてよい。ハーフミラー３２２は、固定式プロジェクタ３２０が投射する画像を反射した反射光の、領域４２による反射光が、領域６２に向かうべく設置されてよい。
【００７２】
このように、ハーフミラー３０２及びハーフミラー３２２を用いることによって、固定式プロジェクタ３００及び固定式プロジェクタ３２０を天井面９０に設置することができ、領域６０及び領域６２のスペースを有効活用することができる。なお、図６及び図７では、それぞれ２つの再帰性反射スクリーン５０及び再帰性反射スクリーン５２が配置された場合を例に挙げて説明したが、さらに多くの再帰性反射スクリーンが配置されてもよい。複数の再帰性反射スクリーンは、縦方向及び横方向の少なくともいずれかに配列されてよい。
【００７３】
図８は、画像提供装置４００の機能構成の一例を概略的に示す。画像提供装置４００は、対象物検出部４０２、領域取得部４０４、識別情報取得部４０６、制御部４１０、画像格納部４２０、投射指示送信部４３０、画像送信部４３２及び音声出力指示送信部４４０を備える。なお、画像提供装置４００がこれらのすべての構成を備えることは必須とは限らない。
【００７４】
対象物検出部４０２は、予め定められた領域に検出対象物の存在することを検出する。対象物検出部４０２は、任意の手法を用いて検出対象物の存在を検出してよい。対象物検出部４０２は、装置検出部１０２と同様に、重量センサ、撮像装置及び人感センサ等と通信することによって検出対象物の存在を検出してよい。
【００７５】
領域取得部４０４は、複数の予め定められた領域のうち、対象物検出部４０２が検出対象物の存在を検出した領域を取得する。複数の予め定められた領域のそれぞれには、領域を識別する領域識別情報が対応付けられていてよく、領域取得部４０４は、領域識別情報によって、複数の予め定められた領域を識別してよい。
【００７６】
識別情報取得部４０６は、対象物検出部４０２が予め定められた領域に存在することを検出した検出対象物を識別する対象物識別情報を取得する。識別情報取得部４０６は、例えば、複数の予め定められた領域のそれぞれに配置された不図示のＲＦＩＤセンサが、検出対象物である被提供者が所持するＲＦタグから読み取った対象物識別情報を、当該ＲＦＩＤセンサから受信する。
【００７７】
制御部４１０は、予め定められた領域に検出対象物が存在することを対象物検出部４０２が検出した場合に、当該予め定められた領域に対応付けて格納されている画像を画像投射装置から投射させる。予め定められた領域に対応付けて格納されている動画像は音声データを含んでよく、予め定められた領域に対応付けて格納されている静止画像には音声データが対応付けられていてよい。予め定められた領域に対応付けて格納されている画像は、画像投射装置に格納されていてよい。また、予め定められた領域に対応付けて格納されている画像は、画像格納部４２０に格納されていてよい。
【００７８】
画像格納部４２０は、一の展示物に対応する複数の予め定められた領域に対応付けられた、当該一の展示物を説明するための画像を格納してよい。また、画像格納部４２０は、複数の展示物のそれぞれに対応する複数の予め定められた領域のそれぞれに対応付けて、複数の展示物のそれぞれを説明するための複数の画像を格納してよい。また、画像格納部４２０は、予め定められた領域における、複数の装置識別情報のそれぞれに対応付けられた複数の画像を格納してもよい。
【００７９】
投射指示送信部４３０は、画像投射装置に対して、画像の投射指示を送信する。投射指示送信部４３０は、画像投射装置から投射させる画像を識別する画像識別情報を画像投射装置に送信してよい。また、投射指示送信部４３０は、画像送信部４３２が画像投射装置に送信した画像を投射する指示を画像投射装置に送信してもよい。画像送信部４３２は、画像格納部４２０に格納された画像を画像投射装置に送信する。
【００８０】
制御部４１０は、複数の予め定められた領域のうちの第１領域に第１の検出対象物が存在することを対象物検出部４０２が検出した場合、複数の予め定められた領域に対応付けて格納されている動画像を当該動画像の開始位置から再生させた再生動画を、第１領域に配置された第１の画像投射装置から投射させ、複数の予め定められた領域のうちの第２領域に第２の検出対象物が存在することを対象物検出部４０２が検出した場合、当該動画像を当該動画像の開始位置から再生させた再生動画を、第２領域に配置された第２の画像投射装置から投射させてよい。例えば、制御部４１０は、展示物２０に対応する複数の予め定められた領域である領域６０及び領域６２のうちの領域６０に被提供者８０が存在することを対象物検出部４０２が検出した場合、領域６０及び領域６２に対応付けて画像格納部４２０に格納されている動画像を当該動画像の開始位置から再生させた再生動画を固定式プロジェクタ３００に投射させ、領域６２に被提供者８２が存在することを対象物検出部４０２が検出した場合、当該動画像を当該動画像の開始位置から再生させた再生動画を固定式プロジェクタ３２０から投射させる。
【００８１】
また、制御部１１０は、複数の予め定められた領域のうちの第１領域に検出対象物が存在することを対象物検出部４０２が検出した場合、第１領域に対応付けて格納されている画像を第１領域に配置されている画像投射装置から投射させてよく、複数の予め定められた領域のうちの第２領域に検出対象物が存在することを対象物検出部４０２が検出した場合、第２領域に対応付けて格納されている画像を第２領域に配置されている画像投射装置から投射させてよい。
【００８２】
また、制御部４１０は、予め定められた領域に検出対象物が存在することを対象物検出部４０２が検出した場合、当該予め定められた領域に対応付けて格納された複数の画像のうち、識別情報取得部４０６が取得した対象物識別情報に対応する画像を、当該予め定められた領域に配置されている画像投射装置から投射させてよい。例えば、被提供者８０が英語を母国語とする外国人であり、被提供者８０が所持するＲＦタグに格納された対象物識別情報に対応付けて、英語によって展示物２０を説明する画像が格納されていた場合、制御部４１０は、当該被提供者８０に対して、英語によって展示物２０を説明する画像を提供させることができる。
【００８３】
以上の説明において、画像提供装置１００及び画像提供装置４００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、画像提供装置１００又は画像提供装置４００として機能してもよい。プログラムは、コンピュータ読み取り可能な媒体又はネットワークに接続された記憶装置から、画像提供装置１００又は画像提供装置４００の少なくとも一部を構成するコンピュータにインストールされてよい。
【００８４】
コンピュータにインストールされ、コンピュータを本実施形態に係る画像提供装置１００又は画像提供装置４００として機能させるプログラムは、ＣＰＵ等に働きかけて、コンピュータを、画像提供装置１００又は画像提供装置４００の各部としてそれぞれ機能させる。これらのプログラムに記述された情報処理は、コンピュータに読込まれることにより、ソフトウエアと画像提供装置１００又は画像提供装置４００のハードウエア資源とが協働した具体的手段として機能する。
【００８５】
なお、上記実施形態では、画像提供装置１００及び画像提供装置４００を画像提供システムの一例として挙げて説明したが、これに限らない。画像提供システムは、画像提供装置１００又は画像提供装置４００と、複数の再帰性反射スクリーンとを含むシステムであってもよい。
【００８６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８７】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００８８】
２０  展示物、２２  展示物、３０  再帰性反射スクリーン、３２  再帰性反射スクリーン、３４  再帰性反射スクリーン、３６  再帰性反射スクリーン、４０  領域、４２  領域、４４  領域、４６  領域、５０  再帰性反射スクリーン、５２  再帰性反射スクリーン、６０  領域、６２  領域、７０  指向性スピーカ、７２  指向性スピーカ、８０  被提供者、８２  被提供者、９０  天井面、１００  画像提供装置、１０２  装置検出部、１０４  領域取得部、１０６  識別情報取得部、１０８  姿勢検出部、１１０  制御部、１２０  画像格納部、１３０  投射指示送信部、１３２  画像送信部、２００  ウェアラブルプロジェクタ、３００  固定式プロジェクタ、３０２  ハーフミラー、３０４  ミラー支持部、３２０  固定式プロジェクタ、３２２  ハーフミラー、３２４  ミラー支持部、４００  画像提供装置、４０２  対象物検出部、４０４  領域取得部、４０６  識別情報取得部、４１０  制御部、４２０  画像格納部、４３０  投射指示送信部、４３２  画像送信部、４４０  音声出力指示送信部
【図１】
2016066863.tif 000003
【図２】
2016066863.tif 000004
【図３】
2016066863.tif 000005
【図４】
2016066863.tif 000006
【図５】
2016066863.tif 000007
【図６】
2016066863.tif 000008
【図７】
2016066863.tif 000009
【図８】
2016066863.tif 000010